(57)【要約】【課題】フレキシブルグリッドが適用されたＤＷＤＭネットワークでスーパーチャネル信号光が使用される場合において、信号光の最大ビットレート情報と使用している信号光帯域幅情報を活用してライン側のトラフィック量を判断し、伝送装置の転送性能を制御する。【解決手段】複数の信号光キャリアを多重し、伝送容量に応じて信号光キャリア数を制御することが可能なスーパーチャネル信号光の光伝送装置制御装置は、光伝送装置の総伝送容量を計算し、光伝送装置の使用中の総伝送容量を計算し、総伝送容量と使用中の総伝送容量から、光伝送装置の負荷率を計算し、負荷率に基づいて、光伝送装置の転送性能制御を命令する。【選択図】図１
2013207480.tif 000002
【特許請求の範囲】
【請求項１】
複数の信号光キャリアを多重し、伝送容量に応じて信号光キャリア数を制御することが可能なスーパーチャネル信号光の光伝送装置制御装置であって、
光伝送装置の総伝送容量を計算する第１の計算手段と、
前記光伝送装置の使用中の総伝送容量を計算する第２の計算手段と、
前記総伝送容量と前記使用中の総伝送容量から、前記光伝送装置の負荷率を計算する第３の計算手段と、
前記負荷率に基づいて、前記光伝送装置の転送性能制御を命令する命令手段と、
を備えることを特徴とする光伝送装置制御装置。
【請求項２】
前記スーパーチャネル信号光の最大帯域幅とビットレートの最大値を保持する手段と、
前記スーパーチャネル信号光の各チャネルの使用中の信号光帯域幅情報を取得する手段と、
をさらに備え、
前記第１の計算手段は、前記最大帯域幅と前記ビットレートの最大値から、前記光伝送装置の総伝送容量を計算する手段であり、
前記第２の計算手段は、前記使用中の信号光帯域幅情報から、前記使用中の総伝送容量を計算する手段であることを特徴とする請求項１に記載の光伝送装置制御装置。
【請求項３】
前記命令手段は、前記負荷率が高くなるほど、前記光伝送装置の転送性能を高くすることを命令する手段であることを特徴とする請求項１または２に記載の光伝送装置制御装置。
【請求項４】
前記命令手段は、前記光伝送装置のＣＰＵのクロック、電圧、またはコア数の制御を命令し、前記負荷率が高くなるほど、ＣＰＵの制御周波数を高く、ＣＰＵの制御電圧を高く、またはＣＰＵの動作コア数を多くすることを特徴とする請求項１から３のいずれか１項に記載の光伝送装置制御装置。
【請求項５】
複数の信号光キャリアを多重し、伝送容量に応じて信号光キャリア数を制御することが可能なスーパーチャネル信号光の光伝送装置制御方法であって、
光伝送装置の総伝送容量を計算する第１の計算ステップと、
前記光伝送装置の使用中の総伝送容量を計算する第２の計算ステップと、
前記総伝送容量と前記使用中の総伝送容量から、前記光伝送装置の負荷率を計算する第３の計算ステップと、
前記負荷率に基づいて、前記光伝送装置の転送性能制御を命令する命令ステップと、
を有することを特徴とする光伝送装置制御方法。
【発明の詳細な説明】
【技術分野】
【０００１】
本発明は、光通信分野において、光伝送システムにおける光伝送装置のトラフィック量の適応的な制御に関する技術である。
【背景技術】
【０００２】
近年、スーパーチャネル信号光技術の研究開発が進められている（非特許文献１）。スーパーチャネル信号光では、複数の信号光キャリアを多重することで所望の伝送容量の信号光を実現することが可能である。また、スーパーチャネル信号光のような容量可変信号光を効率よく収容するために、これまでにフレキシブルグリッドが規定されている（非特許文献２）。スーパーチャネル信号光では、伝送容量に応じて信号光キャリア数を制御することが可能であることから、転送容量に応じて使用する光伝送装置の転送能力を制御することができれば、光伝送装置の省電力化が可能になる。
【０００３】
しかしながら、現状の光伝送装置は転送するトラフィック量に関わらずフルパワーの転送能力で常時動作している。このため、トラフィック量が少ない場合では、電力が無駄に消費されてしまうという問題がある。この問題を解決する試みの例としては、非特許文献３において、イーサネット（登録商標）インタフェースをトラフィック量に応じて制御することで消費電力を抑制する方法が挙げられている。特許文献１では、シグナリングメッセージに転送するトラフィック送信時間と送信期間を指定することで、トラフィック量に適応させてルータの転送性能を制御して省電力化を実現する方法が考案されている。特許文献２では、クライアントインタフェースのリンクアグリゲーション数に応じて、使用する伝送装置のインタフェース数を制御して装置の省電力化を実現する方法が考案されている。特許文献３では、クライアント側のトラフィック量と連携させてライン側の信号伝送容量を制御して装置の省電力化を実現する方法が考案されている。
【先行技術文献】
【特許文献】
【０００４】
【特許文献１】特開２００９−１４７６１５号公報
【特許文献２】特開２０１０−２８３５７１号公報
【特許文献３】特開２０１０−２４５８０９号公報
【非特許文献】
【０００５】
【非特許文献１】Infinera white paper, “Super-Channels DWDM Transmission Beyond 100Gb/s,”  Document Number : WP-SC-12-2011
【非特許文献２】ITU-T勧告 G.694.1 “Spectral grids for WDM applications: DWDM frequency grid”
【非特許文献３】IEEE Std. 802.3az-2010
【非特許文献４】Yasuki Sakurai, , Masahiro Kawasugi, Yuji Hotta, MD. Saad Khan, Hisashi Oguri, Katsuyoshi Takeuchi, Sachiko Michihata, and Noboru Uehara “LCOS-Based 4x4 Wavelength Cross-Connect Switch For Flexible Channel Management in ROADMs,” OTuM4, OFC/NFOEC2012.
【非特許文献５】OIF IA #OIF-OFP-01.0 “OTN Over Packet Fabric Protocol (OFP) Implementation Agreement,” November 2011.
【発明の概要】
【発明が解決しようとする課題】
【０００６】
トラフィック量に適応した転送性能の制御を実行する場合は、伝送装置においてトラフィック量を判断する必要がある。トラフィック量を判断する方法は、これまでに上述の非特許文献３、特許文献１、特許文献２、特許文献３といったものが報告されている。非特許文献３は、制御対象がクライアント側インタフェースであるイーサネットインタフェースに限定されている。特許文献１ではシグナリングメッセージに基づいた転送性能制御を行っているが、これはルータに適用されるものであって波長多重信号光伝送装置においてはシグナリングメッセージをサポートしていない。特許文献２では、クライアント側のリンクアグリゲーションのリンク数によってトラフィック量を判断しているが、ライン側インタフェースのトラフィック量は判断できない。特許文献３においても、クライアント側のトラフィック量を基にしてトラフィック量を判断している。上述のように、装置では、クライアント側のトラフィック量を基準にしたトラフィック量判断により装置転送性能を制御する方式をとっているが、ライン側のトラフィック量を基にして転送性能を制御していないという課題がある。
【０００７】
Network Management System（ＮＭＳ）やElement Management System（ＥＭＳ）を介してネットワーク機器の設定情報を取得すれば、信号光のビットレートが識別可能であるが、異ベンダ装置間のインタフェース接続時にはＮＭＳやＥＭＳの相互接続性を確保しなければ、信号光の情報を統一的に取り扱うことができないという課題がある。また、従来のＤＷＤＭ（Dense Wavelength Division Multiplexing）信号光は、固定ビットレート信号であったため信号光の数と総容量が一意の関係にあったが、スーパーチャネル信号光ではビットレートが任意に変更可能であるため、信号光の数と総伝送容量が必ずしも一致しない。そのため、ライン側のトラフィック量を基にした転送性能の制御が困難であるという課題もある。
【０００８】
そこで本発明は、フレキシブルグリッドが適用されたＤＷＤＭネットワークでスーパーチャネル信号光が使用される場合において、信号光の最大ビットレート情報と使用している信号光帯域幅情報を活用してライン側のトラフィック量を判断し、伝送装置の転送性能を制御するための光伝送装置制御装置および制御方法を提供することを目的とする。
【課題を解決するための手段】
【０００９】
上記課題を解決するため本発明の光伝送装置制御装置は、複数の信号光キャリアを多重し、伝送容量に応じて信号光キャリア数を制御することが可能なスーパーチャネル信号光の光伝送装置制御装置であって、光伝送装置の総伝送容量を計算する第１の計算手段と、前記光伝送装置の使用中の総伝送容量を計算する第２の計算手段と、前記総伝送容量と前記使用中の総伝送容量から、前記光伝送装置の負荷率を計算する第３の計算手段と、前記負荷率に基づいて、前記光伝送装置の転送性能制御を命令する命令手段とを備える。
【００１０】
また、前記スーパーチャネル信号光の最大帯域幅とビットレートの最大値を保持する手段と、前記スーパーチャネル信号光の各チャネルの使用中の信号光帯域幅情報を取得する手段とをさらに備え、前記第１の計算手段は、前記最大帯域幅と前記ビットレートの最大値から、前記光伝送装置の総伝送容量を計算する手段であり、前記第２の計算手段は、前記使用中の信号光帯域幅情報から、前記使用中の総伝送容量を計算する手段であることも好ましい。
【００１１】
また、前記命令手段は、前記負荷率が高くなるほど、前記光伝送装置の転送性能を高くすることを命令する手段であることも好ましい。
【００１２】
また、前記命令手段は、前記光伝送装置のＣＰＵのクロック、電圧、またはコア数の制御を命令し、前記負荷率が高くなるほど、ＣＰＵの制御周波数を高く、ＣＰＵの制御電圧を高く、またはＣＰＵの動作コア数を多くすることも好ましい。
【００１３】
上記課題を解決するため本発明の光伝送装置制御方法は、複数の信号光キャリアを多重し、伝送容量に応じて信号光キャリア数を制御することが可能なスーパーチャネル信号光の光伝送装置制御方法であって、光伝送装置の総伝送容量を計算する第１の計算ステップと、前記光伝送装置の使用中の総伝送容量を計算する第２の計算ステップと、前記総伝送容量と前記使用中の総伝送容量から、前記光伝送装置の負荷率を計算する第３の計算ステップと、前記負荷率に基づいて、前記光伝送装置の転送性能制御を命令する命令ステップとを有する。
【発明の効果】
【００１４】
本発明では、ライン側のトラフィック量に応じて光伝送装置の転送性能を制御することが可能になるため、トラフィック量が少ない場合においては装置消費電力を削減することが可能になる。また、本発明では、処理する可能性がある最大トラフィック量を基準に転送性能の制御が可能になるため、たとえライン側インタフェースに収容されているクライアントトラフィック量に急激な変動が発生した場合においても、対応が遅れてしまい伝送特性が劣化（Loss of SignalやLoss of Frameの発生）してしまうような現象を未然に防止することができる。また、本発明では、光信号合分波部分から信号光帯域幅情報を取得するため、装置間相互接続を考慮する必要がなくなるという効果もある。
【図面の簡単な説明】
【００１５】
【図１】本発明の光伝送装置と光伝送装置制御装置の概要を示す。
【図２】光伝送装置の一連の動作を記述したフローチャートを示す。
【発明を実施するための形態】
【００１６】
本発明を実施するための最良の実施形態について、以下では図面を用いて詳細に説明する。図１に本発明の光伝送装置と光伝送装置制御装置の概要を示す。
【００１７】
光伝送装置制御装置は、制御部１を備え、光伝送装置は、信号光分波器２、受信器３、スイッチファブリック４、送信器５、および信号光合波器６を備える。
【００１８】
制御部１は、光伝送装置の各機能を制御する。制御部１が制御対象としている機能は、図中の点線で結ばれた部分の帯域可変光フィルタ機能を有する信号光分波器２と信号光合波器６、スイッチファブリック４である。
【００１９】
信号光分波器２は入力されたＷＤＭ信号光（波長数ｘとする。ただし、ｘは２以上の整数）を波長ごとに分波する機能を有する。また、信号光分波器２は帯域可変光フィルタ機能を備え、帯域可変光フィルタ機能はフレキシブルグリッド（非特許文献２）のグリッド幅に従って帯域幅を可変制御可能な機能を有する（非特許文献４）。本部分は、使用中の各チャネルの帯域幅を制御部１に通知可能であるとする。
【００２０】
受信器３は、信号光を受信し電気信号に変換してスイッチファブリック４に転送する。
【００２１】
スイッチファブリック４（非特許文献５）は、受信器３から転送されてきたデータを所望の送信器５にスイッチングする。ここで、スイッチファブリック４は、データ処理量に応じた負荷制御が可能（特許文献１）であるものとする。
【００２２】
送信器５は、スイッチファブリック４から転送されてきたデータを電気信号から光信号に変換して送信する機能を有する。
【００２３】
信号光合波器６は１〜ｘの信号光を合波する機能を有する。信号光合波器６は帯域可変光フィルタを備え、帯域可変光フィルタは、受信側の帯域可変光フィルタと同様の機能を有し、送信する信号光の帯域幅を確保して信号光を通す。
【００２４】
次に、光伝送装置の一連の動作を記述したフローチャートを図２に示す。図２のフローチャートについて、下記に説明する。
【００２５】
ステップ１：開始、光伝送装置制御装置の動作を開始する。
ステップ２：各チャネル情報取得、信号光分波器２と信号光合波器６の各チャネルの信号光ビットレートの最大値、および信号光の最大帯域幅情報を取得し、制御部１において記憶する。信号光分波器２側と信号光合波器６側の各チャネルの最高ビットレートをそれぞれＢＲｒ［ｉ］［Ｇｂ／ｓ］とＢＲｔ［ｉ］［Ｇｂ／ｓ］とし、最大帯域幅をそれぞれＢＷｒｍａｘ［ｉ］［ＧＨｚ］とＢＷｔｍａｘ［ｉ］［ＧＨｚ］とする。ただし、ｉはチャネル番号を示し、１〜ｎの整数とする。ｎは、システムによって決まる数値である。
ステップ３：      総伝送容量計算、ステップ２で取得した情報を基にして、総伝送容量を計算する。
【数１】
2013207480.tif 000003
ステップ４：使用帯域情報取得、各チャネルの使用中の信号光帯域幅情報を取得し、制御部１において記憶する。ここでは、信号光分波器２と信号光合波器６の信号光帯域幅をそれぞれＢＷｒｃ［ｉ］とＢＷｔｃ［ｉ］とする。ただし、ｉはチャネル番号を示し、１〜ｎの整数とする。ｎは、システムによって決まる数値である。
ステップ５：伝送容量計算、ステップ２とステップ４の情報を用いて使用中の総伝送容量を下記のように計算する。
【数２】
2013207480.tif 000004
ステップ６：転送性能負荷計算、ステップ３とステップ５の情報を用いて転送性能負荷率を下記のように計算する。
【数３】
2013207480.tif 000005
ステップ７：負荷率？、ステップ６で求めた転送性能負荷率をαとする。ただし、αは０〜１の実数である。ここで、場合１〜場合（ｊ＋ｋ）のうちどの場合になるかを確認する。
場合１：０≦α＜β［１］
場合２：β［１］≦α＜β［２］
・
・
・
場合ｊ：β［ｊ］≦α＜β［ｊ＋１］
場合ｊ＋ｋ：β［ｊ＋ｋ］≦α≦１
ただし、β［ｊ］は事前に任意の数値を設定しておくものとする。ただし、β［ｊ］は０より大きく、１より小さい任意の実数とし、次のような関係であることとする。また、ｊとｋは０より大きい整数とする。
β［１］＜β［２］＜・・・＜β［ｊ］＜β［ｊ＋１］＜・・・＜β［ｊ＋ｋ］＜１
ステップ８：負荷制御、ステップ７で確認した「場合」に応じて、スイッチファブリックの負荷制御を実行する。（参考：特許文献１）
場合１：制御［１］を実行する。
場合２：制御［２］を実行する。
・
・
・
場合ｊ：制御［ｊ］を実行する。
場合ｊ＋ｋ：制御［ｊ＋ｋ］を実行する。
ここで、各場合に応じた制御［ｊ］の設定は、下記のうちいずれかとする。
（１）ＣＰＵ（Central Processing Unit）のクロック制御の場合は、制御周波数を設定する。ここで、各制御における制御周波数［Ｈｚ］の関係は、制御［１］＜制御［２］＜・・・・＜制御［ｊ］＜制御［ｊ＋ｋ］とし、各制御の周波数は事前に設定しておくものとする。
（２）ＣＰＵ（Central Processing Unit）の電圧制御の場合は、制御電圧を設定する。ここで、各制御における制御電圧［Ｖ］の関係は、制御［１］＜制御［２］＜・・・・＜制御［ｊ］＜制御［ｊ＋ｋ］とし、各制御の電圧は事前に設定しておくものとする。
（３）ＣＰＵ（Central Processing Unit）のコア数制御の場合は、動作コア数を設定する。ここで、各制御における動作コア数の関係は、制御［１］＜制御［２］＜・・・・＜制御［ｊ］＜制御［ｊ＋ｋ］とし、各制御の動作コア数は事前に設定しておくものとする。
ステップ９：      終了？、終了しない場合は、ステップ４へ戻る。終了する場合はステップ１０へ進む。
ステップ１０：終了、終了する。
【００２６】
次のようなシステムを用いて実施例１を説明する。
【００２７】
４０波の光伝送システムにおいて、信号光の最高ビットレートを４００Ｇｂ／ｓとし、１００Ｇｂ／ｓおよび４０Ｇｂ／ｓのビットレートにも制御可能であることとする。ビットレート４００Ｇｂ／ｓ、１００Ｇｂ／ｓおよび４０Ｇｂ／ｓ使用時の帯域可変光フィルタの帯域幅を、それぞれ１００ＧＨｚ、５０ＧＨｚおよび２５ＧＨｚとする。本例におけるトラフィックの負荷率の基準としては、β［１］＝０．５、β［２］＝０．７５とする。
【００２８】
従って、各負荷率に応じた制御の場合は以下のようになる。
場合１：０≦α＜β［１］
場合２：β［１］≦α＜β［２］
場合３：β［２］≦α≦１
【００２９】
また、各場合に応じた制御として、ＣＰＵクロック制御を命令するものとする。
場合１：ＣＰＵクロックを最高速度の半分に制御する。
場合２：ＣＰＵクロックを最高速度の７５％に制御する。
場合３：ＣＰＵクロックを最高速度に制御する。
【００３０】
本例では、４０波のうちチャネル１〜１０の１０波分の帯域可変光フィルタの帯域幅が、送受信側共に５０ＧＨｚとなっており、残りのチャネル１１〜４０の３０波分は、送受信側共に１００ＧＨｚで動作しているものとする。以下、制御フローに従って動作を説明する。
【００３１】
ステップ１：開始、光伝送装置制御装置の動作を開始する。
ステップ２：各チャネル情報取得、各チャネルの信号光ビットレートの最大値、および信号光の最大帯域幅情報を取得し、制御部において記憶する。ここでは、各チャネルの最高速度はＢＲｒ［ｉ］＝ＢＲｔ［ｉ］＝４００Ｇｂ／ｓであり、最大帯域幅はＢＷｒｍａｘ［ｉ］＝ＢＷｔｍａｘ［ｉ］＝１００ＧＨｚである。
ステップ３：総伝送容量計算、ステップ２で取得した情報を基にして、総伝送容量を計算する。
【数４】
2013207480.tif 000006
となる。
ステップ４：使用帯域情報取得、各チャネルの使用中の信号光帯域幅情報を取得し制御部において記憶する。ここでは、信号光帯域幅をＢＷｒｃ［１］〜ＢＷｒｃ［１０］とＢＷｔｃ［１］〜ＢＷｔｃ［１０］は５０ＧＨｚである。また、ＢＷｒｃ［１１］〜ＢＷｒｃ［４０］とＢＷｔｃ［１１］〜ＢＷｔｃ［４０］は１００ＧＨｚである。
ステップ５：伝送容量計算、ステップ２とステップ４の情報を用いて使用中の総伝送容量を下記のように計算する。
【数５】
2013207480.tif 000007
ステップ６：転送性能負荷計算、ステップ３とステップ５の情報を用いて転送性能負荷率を下記のように計算する。
【数６】
2013207480.tif 000008
となる。
ステップ７：負荷率？、ここで、ステップ６で求めた転送性能負荷率は、下記の場合１〜場合３のうち、場合３になる。
場合１：０≦α＜０．５
場合２：０．５≦α＜０．７５
場合３：０．７５≦α≦１
ステップ８：負荷制御、ステップ７で確認した「場合」に応じて、スイッチファブリックの負荷制御を実行する。ここでは、場合３であるためＣＰＵクロックを最高速度に制御する。
場合１：ＣＰＵクロックを最高速度の半分に制御する。
場合２：ＣＰＵクロックを最高速度の７５％に制御する。
場合３：ＣＰＵクロックを最高速度に制御する。
ステップ９：終了？、終了するためステップ１０へ進む。
ステップ１０：終了、終了する
【００３２】
次のようなシステムを用いて実施例２を説明する。
【００３３】
４０波の光伝送システムにおいて、信号光の最高ビットレートを４００Ｇｂ／ｓとし、１００Ｇｂ／ｓおよび４０Ｇｂ／ｓのビットレートにも制御可能であることとする。ビットレート４００Ｇｂ／ｓ、１００Ｇｂ／ｓおよび４０Ｇｂ／ｓ使用時の帯域可変光フィルタの帯域幅を、それぞれ１００ＧＨｚ、５０ＧＨｚおよび２５ＧＨｚとする。本例におけるトラフィックの負荷率の基準としては、β［１］＝０．５、β［２］＝０．７５とする。
【００３４】
従って、各負荷率に応じた制御の場合は以下のようになる。
場合１：０≦α＜β［１］
場合２：β［１］≦α＜β［２］
場合３：β［２］≦α≦１
【００３５】
また、各場合に応じた制御として、ＣＰＵクロック制御を命令するものとする。
場合１：ＣＰＵクロックを最高速度の半分に制御する。
場合２：ＣＰＵクロックを最高速度の７５％に制御する。
場合３：ＣＰＵクロックを最高速度に制御する。
【００３６】
本例では、４０波のうちチャネル１〜１０の１０波分の帯域可変光フィルタの帯域幅が、送受信側共に５０ＧＨｚとなっており、チャネル２１〜３０は帯域可変光フィルタの帯域幅が送受信側共に２５ＧＨｚ、残りのチャネル３１〜４０は送受信側共に１００ＧＨｚで動作しているものとする。以下、制御フローに従って動作を説明する。
【００３７】
ステップ１：開始、光伝送装置制御装置の動作を開始する。
ステップ２：各チャネル情報取得、各チャネルの信号光ビットレートの最大値、および信号光の最大帯域幅情報を取得し、制御部において記憶する。ここでは、各チャネルの最高速度はＢＲｒ［ｉ］＝ＢＲｔ［ｉ］＝４００Ｇｂ／ｓであり、最大帯域幅はＢＷｒｍａｘ［ｉ］＝ＢＷｔｍａｘ［ｉ］＝１００ＧＨｚである。
ステップ３：総伝送容量計算、ステップ２で取得した情報を基にして、総伝送容量を計算する。
【数７】
2013207480.tif 000009
となる。
ステップ４：使用帯域情報取得、各チャネルの使用中の信号光帯域幅情報を取得し制御部において記憶する。ここでは、信号光帯域幅をＢＷｒｃ［１］〜ＢＷｒｃ［１０］とＢＷｔｃ［１］〜ＢＷｔｃ［１０］は５０ＧＨｚであり、ＢＷｒｃ［１１］〜ＢＷｒｃ［３０］とＢＷｔｃ［１１］〜ＢＷｔｃ［３０］は２５ＧＨｚである。また、ＢＷｒｃ［３１］〜ＢＷｒｃ［４０］とＢＷｔｃ［３１］〜ＢＷｔｃ［４０］は１００ＧＨｚである。
ステップ５：伝送容量計算、ステップ２とステップ４の情報を用いて使用中の総伝送容量を下記のように計算する。
【数８】
2013207480.tif 000010
ステップ６：転送性能負荷計算、ステップ３とステップ５の情報を用いて転送性能負荷率を下記のように計算する。
【数９】
2013207480.tif 000011
となる。
ステップ７：負荷率？、ここで、ステップ６で求めた転送性能負荷率は、下記の場合１〜場合３のうち、場合２になる。
場合１：０≦α＜０．５
場合２：０．５≦α＜０．７５
場合３：０．７５≦α≦１
ステップ８：負荷制御、ステップ７で確認した「場合」に応じて、スイッチファブリックの負荷制御を実行する。ここでは、場合２であるためＣＰＵクロックを最高速度の７５％に制御する。
場合１：ＣＰＵクロックを最高速度の半分に制御する。
場合２：ＣＰＵクロックを最高速度の７５％に制御する。
場合３：ＣＰＵクロックを最高速度に制御する。
ステップ９：終了？、終了するためステップ１０へ進む。
ステップ１０：終了、終了する。
【００３８】
また、以上述べた実施形態は全て本発明を例示的に示すものであって限定的に示すものではなく、本発明は他の種々の変形態様および変更態様で実施することができる。従って本発明の範囲は特許請求の範囲およびその均等範囲によってのみ規定されるものである。
【符号の説明】
【００３９】
１  制御部
２  信号光分波器
３  受信器
４  スイッチファブリック
５  送信器
６  信号光合波器
【図１】
2013207480.tif 000012
【図２】
2013207480.tif 000013